(57)【要約】  フィルタ装置（１０）は、基板（１００）と、当該基板上に配置され、各々が入力端子（ＩＮ）および出力端子（ＯＵＴ）を有する第１〜第３フィルタ部（１１０，１２０，１３０）とを備える。第１フィルタ部の通過帯域の中心周波数は第２フィルタ部の通過帯域の中心周波数よりも低く，第２フィルタ部の通過帯域の中心周波数は第３フィルタ部の通過帯域の中心周波数よりも低い。第１および第３フィルタ部のうち、通過帯域の中心周波数がフィルタ部の中心周波数に近いフィルタ部を近接フィルタ部とし、他方を非近接フィルタ部とすると、近接フィルタ部の入力端子および出力端子は、第２フィルタ部の入力端子および出力端子と互いに隣接しないように配置される。
2018123555.tif 000002
【特許請求の範囲】
【請求項１】
基板と、
前記基板上に配置され、各々が入力端子および出力端子を有する、少なくとも第１〜第３フィルタ部とを備え、
前記第１〜第３フィルタ部は、それぞれ第１〜第３周波数帯域の信号を通過可能であり、前記第１周波数帯域の中心周波数は前記第２周波数帯域の中心周波数よりも低く，前記第２周波数帯域の中心周波数は前記第３周波数帯域の中心周波数よりも低く、
前記第１および第３フィルタ部のうち、通過可能な周波数帯域の中心周波数が前記第２周波数帯域の中心周波数に近い方の周波数帯域を有するフィルタ部を近接フィルタ部とし、他方を非近接フィルタ部とすると、
前記近接フィルタ部の入力端子および出力端子は、前記第２フィルタ部の入力端子および出力端子と互いに隣接しないように配置される、フィルタ装置。
【請求項２】
前記近接フィルタ部は前記第１フィルタ部であり、前記非近接フィルタ部は前記第３フィルタ部であり、
前記第１周波数帯域の少なくとも一部の周波数は、前記第２周波数帯域よりも低い周波数を有する、請求項１に記載のフィルタ装置。
【請求項３】
前記近接フィルタ部は前記第３フィルタ部であり、前記非近接フィルタ部は前記第１フィルタ部であり、
前記第２周波数帯域の少なくとも一部の周波数は、前記第３周波数帯域よりも低い周波数を有する、請求項１に記載のフィルタ装置。
【請求項４】
前記非近接フィルタ部は、前記基板上において前記近接フィルタ部と前記第２フィルタ部との間に配置される、請求項１〜３のいずれか１項に記載のフィルタ装置。
【請求項５】
前記基板上において、前記近接フィルタ部の入力端子と前記第２フィルタ部の入力端子との間の距離は、前記近接フィルタ部の入力端子と前記非近接フィルタ部の入力端子との間の距離、および、前記第２フィルタ部の入力端子と前記非近接フィルタ部の入力端子との間の距離よりも大きい、請求項１〜４のいずれか１項に記載のフィルタ装置。
【請求項６】
前記基板上において、前記近接フィルタ部の出力端子と前記第２フィルタ部の出力端子との間の距離は、前記近接フィルタ部の出力端子と前記非近接フィルタ部の出力端子との間の距離、および、前記第２フィルタ部の出力端子と前記非近接フィルタ部の出力端子との間の距離よりも大きい、請求項１〜４のいずれか１項に記載のフィルタ装置。
【請求項７】
前記第２フィルタ部と前記非近接フィルタ部の入力端子間、および、前記第２フィルタ部と前記非近接フィルタ部の出力端子間の少なくとも１つの端子間には、接地端子が配置されていない、請求項１〜６のいずれか１項に記載のフィルタ装置。
【請求項８】
前記第２フィルタ部と前記非近接フィルタ部の入力端子間、および、前記第２フィルタ部と前記非近接フィルタ部の出力端子間のいずれにも、接地端子が配置されていない、請求項７に記載のフィルタ装置。
【請求項９】
前記第１〜第３フィルタ部の各々は、弾性波フィルタである、請求項１〜８のいずれか１項に記載のフィルタ装置。
【請求項１０】
前記第１〜第３フィルタ部の各々は、弾性表面波フィルタである、請求項９に記載のフィルタ装置。
【請求項１１】
前記非近接フィルタ部の入力端子は、前記近接フィルタ部の入力端子または前記第２フィルタ部の入力端子と前記基板上で電気的に接続されて共有化されており、
前記非近接フィルタ部の出力端子と、入力端子が共有化されたフィルタ部の出力端子との間に接地端子が配置される、請求項１〜１０のいずれか１項に記載のフィルタ装置。
【請求項１２】
前記非近接フィルタ部の出力端子は、前記近接フィルタ部の入出力端子または前記第２フィルタ部の出力端子と前記基板上で電気的に接続されて共有化されており、
前記非近接フィルタ部の入力端子と、出力端子が共有化されたフィルタ部の入力端子との間に接地端子が配置される、請求項１〜１０のいずれか１項に記載のフィルタ装置。
【請求項１３】
請求項１〜１０のいずれか１項に記載のフィルタ装置と、
前記フィルタ装置を実装する実装基板とを備え、
前記非近接フィルタ部の入力端子は、前記近接フィルタ部の入力端子または前記第２フィルタ部の入力端子と前記実装基板上で電気的に接続されて共有化されており、
前記フィルタ装置の前記基板上において、前記非近接フィルタ部の出力端子と、入力端子が共有化されたフィルタ部の出力端子との間に接地端子が配置される、フィルタモジュール。
【請求項１４】
請求項１〜１０のいずれか１項に記載のフィルタ装置と、
前記フィルタ装置を実装する実装基板とを備え、
前記非近接フィルタ部の出力端子は、前記近接フィルタ部の出力端子または前記第２フィルタ部の出力端子と前記実装基板上で電気的に接続されて共有化されており、
前記フィルタ装置の前記基板上において、前記非近接フィルタ部の入力端子と、出力端子が共有化されたフィルタ部の入力端子との間に接地端子が配置される、フィルタモジュール。
【発明の詳細な説明】
【技術分野】
【０００１】
本発明は、フィルタ装置およびフィルタモジュールに関し、より特定的には、同一基板上に３つ以上のフィルタ装置が形成されたフィルタに関する。
【背景技術】
【０００２】
近年、複数の周波数帯域の信号に対応した、いわゆるマルチバンド対応の無線端末（たとえば、携帯電話やスマートフォン）の開発が進んでいる。このような無線端末では、使用周波数に適応した複数のフィルタを備える必要があり、かつ、製品サイズの制限からフィルタサイズの小型化も必要とされている。【０００３】
特開２００５−５７３４２号公報（特許文献１）においては、マルチバンド対応の無線端末装置の小型化を実現するために、１つの基板上に異なる周波数帯域を有する３つの弾性表面波（ＳＡＷ：Surface  Acoustic  Wave）フィルタを配置した構成を有する分波器が開示されている。
【先行技術文献】
【特許文献】
【０００４】
【特許文献１】特開２００５−５７３４２号公報
【発明の概要】
【発明が解決しようとする課題】
【０００５】
特開２００５−５７３４２号公報（特許文献１）のように、異なる周波数帯域のフィルタを同一の基板上に複数配置する場合に、近接した周波数帯域のフィルタを隣接させて配置すると、フィルタを通過する信号が互いに干渉しあい、配線間のアイソレーションが十分に確保できない場合がある。そうすると、フィルタの挿入損失特性が悪化し、所望の機能が発揮できない可能性がある。【０００６】
本発明は、このような課題を解決するためになされたものであって、その目的は、同一基板上に異なる周波数帯域のフィルタを複数配置したフィルタ装置において、各フィルタの挿入損失特性の悪化を抑制することである。
【課題を解決するための手段】
【０００７】
本発明によるフィルタ装置は、基板と、当該基板上に配置され、各々が入力端子および出力端子を有する少なくとも第１〜第３フィルタ部とを備える。第１〜第３フィルタ部は、それぞれ第１〜第３周波数帯域の信号を通過可能であり、第１周波数帯域の中心周波数は第２周波数帯域の中心周波数よりも低く，第２周波数帯域の中心周波数は第３周波数帯域の中心周波数よりも低い。第１および第３フィルタ部のうち、通過可能な周波数帯域の中心周波数が第２周波数帯域の中心周波数に近い方の周波数帯域を有するフィルタ部を近接フィルタ部とし、他方を非近接フィルタ部とすると、近接フィルタ部の入力端子および出力端子は、第２フィルタ部の入力端子および出力端子と互いに隣接しないように配置される。【０００８】
好ましくは、近接フィルタ部は第１フィルタ部であり、非近接フィルタ部は第３フィルタ部である。第１周波数帯域の少なくとも一部の周波数は、第２周波数帯域よりも低い周波数を有する。【０００９】
好ましくは、近接フィルタ部は第３フィルタ部であり、非近接フィルタ部は第１フィルタ部である。第２周波数帯域の少なくとも一部の周波数は、第３周波数帯域よりも低い周波数を有する。【００１０】
好ましくは、非近接フィルタ部は、基板上において近接フィルタ部と第２フィルタ部との間に配置される。【００１１】
好ましくは、基板上において、近接フィルタ部の入力端子と第２フィルタ部の入力端子との間の距離は、近接フィルタ部の入力端子と非近接フィルタ部の入力端子との間の距離、および、第２フィルタ部の入力端子と非近接フィルタ部の入力端子との間の距離よりも大きい。【００１２】
好ましくは、基板上において、近接フィルタ部の出力端子と第２フィルタ部の出力端子との間の距離は、近接フィルタ部の出力端子と非近接フィルタ部の出力端子との間の距離、および、第２フィルタ部の出力端子と非近接フィルタ部の出力端子との間の距離よりも大きい。【００１３】
好ましくは、第１〜第３フィルタ部の入力端子間、および、第１〜第３フィルタ部の出力端子間の少なくとも１つの端子間には、接地端子が配置されていない。【００１４】
好ましくは、第１〜第３フィルタ部の入力端子間、および、第１〜第３フィルタ部の出力端子間のいずれにも、接地端子が配置されていない。【００１５】
好ましくは、第１〜第３フィルタ部の各々は、弾性波フィルタである。
好ましくは、第１〜第３フィルタ部の各々は、弾性表面波フィルタである。【００１６】
好ましくは、非近接フィルタ部の入力端子は、近接フィルタ部の入力端子または第２フィルタ部の入力端子と基板上で電気的に接続されて共有化されている。非近接フィルタ部の出力端子と、入力端子が共有化されたフィルタ部の出力端子との間に接地端子が配置される。【００１７】
好ましくは、非近接フィルタ部の出力端子は、近接フィルタ部の出力端子または第２フィルタ部の出力端子と基板上で電気的に接続されて共有化されている。非近接フィルタ部の入力端子と、出力端子が共有化されたフィルタ部の入力端子との間に接地端子が配置される。【００１８】
本発明によるフィルタモジュールは、上記のいずれかのフィルタ装置と、当該フィルタ装置を実装する実装基板とを備える。非近接フィルタ部の入力端子は、近接フィルタ部の入力端子または第２フィルタ部の入力端子と実装基板上で電気的に接続されて共有化されている。フィルタ装置の基板上において、非近接フィルタ部の出力端子と、入力端子が共有化されたフィルタ部の出力端子との間に接地端子が配置される。【００１９】
本発明によるフィルタモジュールは、上記のいずれかのフィルタ装置と、当該フィルタ装置を実装する実装基板とを備える。非近接フィルタ部の出力端子は、近接フィルタ部の出力端子または第２フィルタ部の出力端子と実装基板上で電気的に接続されて共有化されている。フィルタ装置の基板上において、非近接フィルタ部の入力端子と、出力端子が共有化されたフィルタ部の入力端子との間に接地端子が配置される。
【発明の効果】
【００２０】
本発明によれば、同一基板上に異なる周波数帯域のフィルタを複数配置したフィルタ装置において、各フィルタの挿入損失特性の悪化を抑制することができる。
【図面の簡単な説明】
【００２１】
【図１】本実施の形態に従うフィルタ装置の概略構成を示す図である。
【図２】図１の各フィルタ部の詳細構成の一例を示す図である。
【図３】各フィルタ部の通過周波数帯域を説明するための図である。
【図４】本実施の形態１に従うフィルタ装置と比較例のフィルタ装置における配置構成の違いを説明するための図である。
【図５】図４の例における第１フィルタ部の周波数特性の違いを説明するための図である。
【図６】他の比較例における配置構成を説明するための図である。
【図７】本実施の形態１に従うフィルタ装置の配置構成の他の例を示す図である。
【図８】本実施の形態２に従うフィルタ装置と比較例のフィルタ装置における配置構成の違いを説明するための図である。
【図９】図８の例における第１フィルタ部の周波数特性の違いを説明するための図である。
【図１０】本実施の形態２の変形例を示す図である。
【図１１】各フィルタ部の通過帯域の他の例を説明するための図である。
【発明を実施するための形態】
【００２２】
以下、本発明の実施の形態について、図面を参照しながら詳細に説明する。なお、図中同一または相当部分には同一符号を付してその説明は繰り返さない。
【００２３】
［実施の形態１］
図１は、本実施の形態１に従うフィルタ装置１０の概略構成を示す図である。図１を参照して、フィルタ装置１０は、基板１００上に設けられた、第１フィルタ部１１０、第２フィルタ部１２０および第３フィルタ部１３０を備えるトリプレクサである。第１フィルタ部１１０、第２フィルタ部１２０および第３フィルタ部１３０は、アンテナ２０と受信回路３０との間に並列に接続される。
【００２４】
また、フィルタ装置１０は、第１フィルタ部１１０、第２フィルタ部１２０および第３フィルタ部１３０のうちの１つの選択的に切換える切換部１４０，１５０をさらに備える。
【００２５】
フィルタ装置１０は、アンテナ２０から受信した無線（ＲＦ：Radio  Frequency）信号のうち、各フィルタ部が通過可能な周波数帯域の信号を抽出して受信回路３０に伝達する。たとえば、第１フィルタ部１１０、第２フィルタ部１２０および第３フィルタ部１３０の通過可能な周波数帯域は、それぞれ２３００ＭＨｚ以上２３７０ＭＨｚ以下、２３５０ＭＨｚ以上２３６０ＭＨｚ以下、および２６２０ＭＨｚ以上２９６０ＭＨｚ以下である。
【００２６】
なお、切換部１４０，１５０に代えて、使用すべきフィルタ部以外のフィルタ部の入力端子を接地電位に接続することによって、無線信号を選択的にフィルタ部に供給するようにしてもよい。
【００２７】
図２は、図１の各フィルタ部の詳細構成の一例を示す図である。図２においては、第１フィルタ部１１０を例として説明するが、第２フィルタ部１２０および第３フィルタ部１３０も類似の構成を有する。
【００２８】
第１フィルタ部１１０は、ラダー型の弾性表面波フィルタであり、入力端子ＩＮと出力端子ＯＵＴとの間に設けられる直列腕に直列に接続された直列腕共振部１１２と、直列腕と接地電位との間に接続された並列腕に設けられた並列腕共振部１１４とを備える。並列腕共振部１１４は、インダクタ１１６を介して接地電位に接続される。各フィルタ部において、直列腕共振部および並列腕共振部の共振周波数、およびインダクタのインダクタンスを調整することによって、通過可能な周波数帯域が設定される。
【００２９】
なお、本実施の形態においては、フィルタ部として弾性表面波（ＳＡＷ）フィルタを例として説明するが、フィルタ部はＳＡＷフィルタ以外の弾性波フィルタであってもよい。
【００３０】
図３は、各フィルタ部の通過周波数帯域を説明するための図である。図３（ａ）および図３（ｂ）においては、横軸に周波数が示され、縦軸にはフィルタ部通過後の信号の強度（信号レベル）がｄＢ値で示されている。
【００３１】
上述のように、本実施の形態１の例においては、第１フィルタ部１１０の通過周波数帯域ＢＮＤ１は２３００ＭＨｚ以上２３７０ＭＨｚ以下であり、第２フィルタ部１２０の通過周波数帯域ＢＮＤ２は２３５０ＭＨｚ以上２３６０ＭＨｚ以下であり、第３フィルタ部１３０の通過周波数帯域ＢＮＤ３は、２６２０ＭＨｚ以上２９６０ＭＨｚ以下である。そのため、図３（ａ）に示されるように、第２フィルタ部１２０の通過周波数帯域ＢＮＤ２は、第１フィルタ部１１０の通過周波数帯域ＢＮＤ１に包含されている。通過周波数帯域ＢＮＤ２の中心周波数Ｆ２は、通過周波数帯域ＢＮＤ１の中心周波数Ｆ１と通過周波数帯域ＢＮＤ３の中心周波数Ｆ３との間にあり、かつ、通過周波数帯域ＢＮＤ３の中心周波数Ｆ３よりも通過周波数帯域ＢＮＤ１の中心周波数Ｆ１に近くなるように設定されている。すなわち、中心周波数Ｆ１と中心周波数Ｆ２との差Δｆ１は、中心周波数Ｆ２と中心周波数Ｆ３との差Δｆ２よりも小さい（Δｆ１＜Δｆ２）。
【００３２】
なお、以下の説明においては、Δｆ１＜Δｆ２が満たされていれば、図３（ａ）のように通過周波数帯域ＢＮＤ２のすべてが通過周波数帯域ＢＮＤ１に包含される場合には限られない。図３（ｂ）のように、通過周波数帯域ＢＮＤ２と通過周波数帯域ＢＮＤ１が重複しない場合、あるいは、通過周波数帯域ＢＮＤ２の一部のみが通過周波数帯域ＢＮＤ１と重複する場合であってもよい。
【００３３】
本実施の形態１においては、フィルタ装置１０の小型化のために、これらの３つのフィルタ部を１つの基板１００上に配置する。上記のように、通過周波数帯域ＢＮＤ１と通過周波数帯域ＢＮＤ２とが近接（一部重複）している場合、基板１００上における、これらのフィルタ部の信号端子（入出力端子）が隣接していると、端子同士が電磁界結合してしまい、端子間のアイソレーションが十分に確保できない状態となり得る。そうすると、通過する信号が互いに干渉しあい、各フィルタ部の減衰特性が悪化したり、損失が増加したりする可能性がある。
【００３４】
このような信号の干渉を防止するために、各信号端子間に接地端子を設けることも可能であるが、すべての端子間に接地端子を設けると装置全体のサイズが大きくなってしまい、そもそもの小型化の目的が達成できなくなってしまう。
【００３５】
そこで、本実施の形態１においては、互いに異なる周波数帯域を有する３つのフィルタ部について、中間の中心周波数を有するフィルタ部（本実施の形態１では第２フィルタ部１２０）と通過周波数帯域が近接するフィルタ部（本実施の形態１では第１フィルタ部１１０：「近接フィルタ部」とも称する。）を、その入出力端子が互いに隣接しないように配置することで互いの信号の干渉を抑制する。さらに、通過周波数帯域が比較的離れているフィルタ部（本実施の形態１では第３フィルタ部１３０：「非近接フィルタ部」とも称する。）については、少なくとも１つの信号端子を第２フィルタ部１２０の信号端子と隣接させる（すなわち、信号端子間に接地端子を配置させない）ことで、装置サイズが大きくなることを抑制する。
【００３６】
図４を用いてさらに詳細を説明する。図４は、本実施の形態１に従うフィルタ装置（左図（ａ））と比較例のフィルタ装置（右図（ｂ））における配置構成の違いを説明するための図である。
【００３７】
図４の左図（ａ）に示す本実施の形態１に従うフィルタ装置については、基板１００上において、通過周波数帯域が近接する第１フィルタ部１１０と第２フィルタ部１２０との間に、２つのフィルタ部から比較的通過周波数帯域が離れている第３フィルタ部１３０を配置している。これによって、第１フィルタ部１１０の入力端子ＩＮ１と第２フィルタ部１２０の入力端子ＩＮ２とが隣接せず、かつ、第１フィルタ部１１０の出力端子ＯＵＴ１と第２フィルタ部１２０の出力端子ＯＵＴ２とが隣接しないように配置されている。入力端子間および出力端子間に、少なくとも第３フィルタ部１３０の入力端子および出力端子がそれぞれ配置されることになるため、第１フィルタ部１１０および第２フィルタ部１２０の端子間のアイソレーション距離を確保することができる。
【００３８】
さらに、図４の左図（ａ）の場合には、第２フィルタ部１２０の入力端子ＩＮ２と第３フィルタ部１３０の入力端子ＩＮ３の間に接地端子ＧＮＤが設けられ、第１フィルタ部１１０の出力端子ＯＵＴ１と第３フィルタ部１３０の出力端子ＯＵＴ３との間に接地端子ＧＮＤが設けられている。そのため、さらに第１フィルタ部１１０および第２フィルタ部１２０の端子間のアイソレーションが確保されやすくなっている。
【００３９】
なお、図４の左図（ａ）においては、非近接フィルタ部である第３フィルタ部１３０の入出力端子については、少なくとも１つが、第１フィルタ部１１０または第２フィルタ部１２０の入出力端子に隣接するように配置されている。具体的には、図４（ａ）では、第１フィルタ部１１０の入力端子ＩＮ１と第３フィルタ部１３０の入力端子ＩＮ３とが隣接し、第２フィルタ部１２０の出力端子ＯＵＴ２と第３フィルタ部１３０の出力端子ＯＵＴ３とが隣接している。
【００４０】
言い換えれば、各フィルタ部の入力端子同士および出力端子同士について、基板１００上において、第１フィルタ部（近接フィルタ部）１１０の端子と第２フィルタ部１２０の端子との間の距離は、第１フィルタ部１１０の端子と第３フィルタ部（非近接フィルタ部）１３０の端子との間の距離、および、第２フィルタ部１２０の端子と第３フィルタ部１３０の端子との間の距離よりも大きいという関係が成立する。
【００４１】
比較的離れた通過周波数帯域を有するフィルタ部間の入出力端子については、互いに信号の干渉が生じにくいため、互いに隣接配置しても減衰特性への影響は小さい。このように、減衰特性への影響の小さい端子間には接地端子ＧＮＤを配置しないようにすることで、端子間アイソレーションを維持しつつ、装置サイズを小さくすることができる。なお、図４（ａ）の例においては、第２フィルタ部１２０の入力端子ＩＮ２と第３フィルタ部１３０の入力端子ＩＮ３、および、第１フィルタ部１１０の出力端子ＯＵＴ１と第３フィルタ部１３０の出力端子ＯＵＴ３との間に接地端子ＧＮＤが設けられているが、これらの接地端子ＧＮＤは省略されてもよい。
【００４２】
一方、図４の右図（ｂ）の比較例においては、第２フィルタ部１２０が、第１フィルタ部１１０と第３フィルタ部１３０との間に配置されている。すなわち、通過周波数帯域が近接する第１フィルタ部１１０と第２フィルタ部１２０とが近接して配置されている。そのため、左図（ａ）のように、第２フィルタ部１２０の入出力端子を、近接する他のフィルタ部の入出力端子に接地端子ＧＮＤを介さずに隣接させた場合、第１フィルタ部１１０と第２フィルタ部１２０の入出力端子が隣接してしまうので、これらの端子間でのアイソレーションが確保されなくなる（図４（ｂ）においては、第１フィルタ部１１０の入力端子ＩＮ１と第２フィルタ部１２０の入力端子ＩＮ２）。
【００４３】
図５は、図４の例における第１フィルタ部１１０の周波数特性の違いを説明するためのフィルタ特性を示す図である。図５においては、横軸に周波数が示され、縦軸には第１フィルタ部１１０の出力信号の強度がｄＢ値で示されている。また、図５において、線ＬＮ１が図４（ａ）の本実施の形態１の場合を示しており、線ＬＮ２が図４（ｂ）の比較例の場合を示している。なお、図４（ａ）と図４（ｂ）との違いをより明確にするために、第１フィルタ部１１０の通過周波数帯域ＢＮＤ１付近のグラフについて、縦軸のスケールを拡大したものも示している。
【００４４】
図５を参照して、比較例に対応する線ＬＮ２においては、通過周波数帯域ＢＮＤ１の間で、本実施の形態１に対応する線ＬＮ１よりも信号レベルが低下しているのがわかる。言い換えれば、本実施の形態１のように、通過周波数帯域が近接する第１フィルタ部１１０および第２フィルタ部１２０の入出力端子が隣接しないように配置することによって、通過信号の挿入損失特性への劣化影響を低減することができる。
【００４５】
図６は、他の比較例における配置構成を説明するための図である。図６においては、図４（ｂ）の場合に比べて、さらに第２フィルタ部１２０の出力端子ＯＵＴ２が、近接フィルタ部である第１フィルタ部１１０の出力端子ＯＵＴ１と隣接している。このような比較例においても、通過周波数帯域が近接する２つのフィルタ部の入出力端子が隣接しているため、第１フィルタ部１１０の周波数特性を悪化させることになる。
【００４６】
図７は、実施の形態１に従うフィルタ装置の配置構成の他の例を示す図である。図７においては、第３フィルタ部１３０の入力端子ＩＮ３が第２フィルタ部１２０の入力端子ＩＮ２と近接し、さらに、第３フィルタ部１３０の出力端子ＯＵＴ３が第２フィルタ部１２０の出力端子ＯＵＴ２と近接している。このような端子配置の場合でも、通過周波数帯域が近接する第１フィルタ部１１０と第２フィルタ部１２０とのアイソレーションを確保しつつ、装置サイズの大型化を抑制することができる。
【００４７】
［実施の形態２］
実施の形態１においては、基本的には、３つのフィルタ部のうち、使用すべき周波数帯域のフィルタ部のみに受信した無線信号が供給される場合の例について説明した。
【００４８】
一方で、近年では、通信速度の高速化のために、複数の周波数帯域（回線）を同時に利用するキャリアアグリゲーションが普及しつつある。この場合、異なる周波数帯域を有する複数のフィルタ部へ同時に無線信号を供給するため、複数のフィルタ部が共通のアンテナに接続される場合がある。
【００４９】
そうすると、２つのフィルタ部の出力端子には各フィルタ部を通過した信号が現れるため、出力端子が隣接していれば、端子間の電磁界結合により、たとえ周波数帯域が近接していなくても出力信号が互いに干渉し合う状態となり得る。
【００５０】
そこで、実施の形態２においては、キャリアアグリゲーションのために、２つのフィルタ部の入力端子が共通化される場合には、共通化される当該２つのフィルタ部の出力端子間に接地端子を設けることによって、各フィルタ部の出力信号が互いに干渉することを抑制する。
【００５１】
図８は、実施の形態２に従うフィルタ装置（左図（ａ））と比較例のフィルタ装置（右図（ｂ））における配置構成の違いを説明するための図である。
【００５２】
図８を参照して、左図（ａ）においては、実施の形態１の図４（ａ）と同様に、非近接フィルタ部である第３フィルタ部１３０が、第１フィルタ部１１０と第２フィルタ部１２０との間に配置されている。第１フィルタ部１１０の入力端子ＩＮ１と第３フィルタ部１３０の入力端子ＩＮ３は、基板１００上において同じ端子に共通化され、当該端子にアンテナ２０が接続される。
【００５３】
一方で、第１フィルタ部１１０の出力端子ＯＵＴ１と第３フィルタ部１３０の出力端子ＯＵＴ３との間には接地端子が設けられ、出力端子間のアイソレーションが確保されている。
【００５４】
比較例の右図（ｂ）においては、第１フィルタ部１１０の出力端子ＯＵＴ１と第３フィルタ部１３０の出力端子ＯＵＴ３とが隣接している。
【００５５】
図９は、図８の例における第１フィルタ部１１０の周波数特性の違いを説明するための図である。図９においては、横軸に周波数が示され、縦軸には第１フィルタ部１１０の出力信号の強度がｄＢ値で示されている。また、図９において、線ＬＮ３が図８（ａ）の本実施の形態２の場合を示しており、線ＬＮ４が図８（ｂ）の比較例の場合を示している。
【００５６】
図９からわかるように、出力端子ＯＵＴ１と出力端子ＯＵＴ３との間に接地端子ＧＮＤが配置された場合の線ＬＮ３に比べて、出力端子ＯＵＴ１と出力端子ＯＵＴ３とが隣接した場合の線ＬＮ４では、第３フィルタ部１３０の通過周波数帯域ＢＮＤ３付近の信号強度が大きくなっている。すなわち、第１フィルタ部１１０の出力に第３フィルタ部１３０の出力信号の影響が生じており、通過周波数帯域ＢＮＤ３付近の減衰特性が悪くなっている。
【００５７】
なお、図には示していないが、第３フィルタ部１３０の周波数特性においては、第１フィルタ部１１０の通過周波数帯域ＢＮＤ１付近の信号強度が大きくなり、第３フィルタ部１３０の出力信号に第１フィルタ部１１０の出力信号が影響を与えることになる。
【００５８】
このように、キャリアアグリゲーションのために２つのフィルタ部の入力端子が共通化される場合には、共有化された当該２つのフィルタ部の出力端子間に接地端子を配置することによって、出力端子間の信号の干渉を低減することができる。これによって、各フィルタ部の減衰特性の悪化を抑制することが可能となる。
【００５９】
なお、図８においては、入力端子ＩＮ１と入力端子ＩＮ３とが基板１００上において同じ端子に共通化される構成の例について説明したが、図１０に示すように、実装基板５０にフィルタ装置１０の基板１００を実装したフィルタモジュールにおいて、実装基板５０上で入力端子ＩＮ１と入力端子ＩＮ３とが電気的に接続される構成であってもよい。
【００６０】
なお、上記の実施の形態においては、第２フィルタ部１２０の通過周波数帯域ＢＮＤ２が第１フィルタ部１１０の通過周波数帯域ＢＮＤ１に近接している場合、すなわち近接フィルタ部が第１フィルタ部１１０であり、非近接フィルタ部が第３フィルタ部１３０である場合の例について説明した。しかしながら、上記の配置構成は、図１１に示すような近接フィルタ部と非近接フィルタ部が反対の場合、すなわち、第２フィルタ部１２０の通過周波数帯域ＢＮＤ２が第３フィルタ部１３０の通過周波数帯域ＢＮＤ３に近接している場合にも適用可能である。この場合には、非近接フィルタ部である第１フィルタ部１１０が、第２フィルタ部１２０と第３フィルタ部１３０との間に配置される。
【００６１】
また、上記の実施の形態では、フィルタ部が３つの場合の例について説明したが、４つ以上のフィルタ部が１つの基板上に配置される場合であっても、そのうちの３つのフィルタ部の配置関係について適用することも可能である。
【００６２】
さらに、上記の実施の形態では、無線信号を受信する場合を例として説明したが、無線装置を送信する場合についても適用可能である。この場合、各図における入力端子が出力端子となり、出力端子が入力端子となる。
【００６３】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００６４】
１０  フィルタ装置、２０  アンテナ、３０  受信回路、５０  実装基板、１００  基板、１１０，１２０，１３０  フィルタ部、１１２  直列腕共振部、１１４  並列腕共振部、１１６  インダクタ、１４０，１５０  切換部、ＢＮＤ，ＢＮＤ１〜ＢＮＤ３  通過周波数帯域、Ｆ１〜Ｆ３  中心周波数、ＧＮＤ  接地端子、ＩＮ，ＩＮ１〜ＩＮ３  入力端子、ＯＵＴ，ＯＵＴ１〜ＯＵＴ３  出力端子。
【図１】
2018123555.tif 000003
【図２】
2018123555.tif 000004
【図３】
2018123555.tif 000005
【図４】
2018123555.tif 000006
【図５】
2018123555.tif 000007
【図６】
2018123555.tif 000008
【図７】
2018123555.tif 000009
【図８】
2018123555.tif 000010
【図９】
2018123555.tif 000011
【図１０】
2018123555.tif 000012
【図１１】
2018123555.tif 000013
【国際調査報告】
2018123555.tif 000014
2018123555.tif 000015